(57)【要約】【課題】指輪をした状態で着用することの可能な手袋を提供する。【解決手段】指部分と、手の甲及び手のひら部分とを少なくとも備える、各種の女性用手袋や、スポーツ用手袋やグローブ、炊事・作業用手袋、結婚式用などのフォーマルな手袋などの各種の手袋であって、手の甲側の少なくともいずれかの指部分に、スリット状の指輪用の切れ込みが設けられ、切れ込みは好ましくは指の長手方向に沿って設けられ、開閉可能にされたファスナーその他の開閉部材を備える。【選択図】  図１
2004250829.tif 000002
【特許請求の範囲】
【請求項１】
指部分と、手の甲及び手のひら部分とを少なくとも備える手袋であって、
手の甲側の少なくともいずれかの指部分に、スリット状の指輪用の切れ込みが設けられ、
前記の切れ込みは、開閉可能にされた開閉部材を備えたことを特徴とする手袋。
【請求項２】
請求項１に記載の発明において、
前記の切れ込みは、指の長手方向に沿って設けられたことを特徴とする手袋。
【請求項３】
請求項１または２のいずれかに記載の発明において、
前記の開閉部材は、ファスナーであることを特徴とする手袋。
【請求項４】
請求項１または２のいずれかに記載の発明において、
前記の開閉部材は、ボタン、ホック、スナップ、チャック、面ファスナーのいずれかであることを特徴とする手袋。
【請求項５】
請求項１〜４のいずれかに記載の発明において、
前記の手袋は、皮革、人造皮革、毛皮、人造毛皮、布、毛編み、レース、ゴム、ビニール、不織布のいずれかの素材からなることを特徴とする手袋。
【請求項６】
請求項１〜５のいずれかに記載の発明において、
前記の切れ込みの周縁部には、ほつれ・綻びを防ぐ補強部材が設けられたことを特徴とする手袋。
【請求項７】
請求項１〜６のいずれかに記載の発明において、
前記の切れ込みは、指部分から手の甲及び手のひら部分にわたり設けられたことを特徴とする手袋。
【請求項８】
請求項１〜７のいずれかに記載の発明において、
前記の切れ込みは、複数の指に設けられたことを特徴とする手袋。
【発明の詳細な説明】
【０００１】
【発明の属する技術分野】
本発明は、指輪をした状態で着用することの可能な手袋に関する。
【０００２】
【従来の技術】
従来より、各種の女性用・男性用手袋をはじめ、スポーツ用手袋やグローブ、炊事・作業用手袋、結婚式用などのフォーマルな手袋など、各種の手袋が利用されている。
防寒のための手袋のほか、それぞれの機能により各種の場面で利用されている。
【０００３】
【発明が解決しようとする課題】
ところで、殊に女性の場合には、宝石や各種の宝飾・石・飾りなどの付いた指輪をすることも多い。
しかしながら、手袋は通常、指の部分が、それぞれの指が入るとともに、指を動かしやすくするために指にフィットするように形成されている。したがって、指輪をしたままでは着用することができず、リングだけの小さな指輪の場合にも、指輪をしたままでは窮屈であったりする。
そこで、手袋をする場合には指輪をはずすことになってしまうが、その際には指輪をバッグの中などの別の場所に保管しなければならない。しかしながら、指輪をどこにしまったか忘れてしまう危険性や、指輪を紛失してしまう危険性が大きくなり、殊に高価な指輪であれば不安である。スポーツ用あるいはフォーマルな手袋をする場面では、指輪をしまったバッグを預けるなどして手元において置けない場合もある。
【０００４】
一方、せっかくの装飾である指輪を、手袋をする際にははずさなければならないため、人に見せたい、あるいは見てもらいたいときにもその気持ちを満たすことができない。
さらに、手袋をする際には指輪をはずし、また手袋を外した際には指輪を嵌めるなどしていれば、煩雑である。
【０００５】
たとえば特開２０００−２４５８０９「美容・健康手袋」においては、手袋の指の部分を面ファスナーによって自在に、はずしたり巻き付けたりすることができることを特徴とする美容・健康手袋が提案されている。
しかしながらこの発明は、手袋の指の部分を面ファスナーによって自在に、はずしたり巻き付けたりすることができるようにしたものであり、その構成が洗練されておらず、手袋としてのファッション性に欠ける。
また、指を適度にしめたりすることができるので細くきれいな指にすることができる、あるいは普段手袋をしている時にも指の必要な部分だけをはずすことができるのでいちいち手袋をはずす必要もない、といったように、その目的も本発明の意図するところとは異なる。
【０００６】
一方、実用新案登録第３０３６４７９号「手袋」においては、特に日焼けが阻止され、安価に製造でき、使い捨てに近い感覚で使用できる手袋が提案されている。
表面に紫外線遮蔽剤を存在させた紙、布あるいは薄い不織布で形成され、指輪がはめられる位置の手の甲側にスリット状切れ目を施し、手首に伸縮材をとり付けた手袋であり、スリット状切れ目が指の長さ方向に施されている形状などが記載されている。
しかしながらこの発明は、スリット状切れ目により指輪をしたままで手袋をすることができるようにされているものの、使い捨て感覚の手袋からなるものでありその構成が洗練されておらず、手袋としてのファッション性に欠ける。
さらにこの発明においては、スリット状切れ目が設けられただけの構成であるために、スリット状切れ目は閉じることができず、切れ目から指が見えてしまうものであり、指輪をしていない状態で着用すれば単に切れ目が入っているだけで切れ目から肌が見えてしまうものである。これでは作業用などの使い捨てにやむなく利用する場合にしか使用することができず、女性が好んで使用することはまずありえない。
【０００７】
そこで本発明においては、上記の様々な課題を解決し、指輪をした状態で着用することの可能であるとともに、ファッション性、機能性にも欠けるところのない手袋を提供することを目的とする。
これにより、手袋をする場合にも指輪をはずすことになく、したがって指輪をバッグの中などの別の場所に保管する必要がなくなる。指輪をどこにしまったか忘れてしまう危険性や、指輪を紛失してしまう危険性もなく、不安に感じることもない。
さらに、せっかくの装飾である指輪を、手袋をする際にもはずさなくてよいために、人に見せたい、あるいは見てもらいたいときにもその気持ちを満たすことができる。
さらに、手袋をする際には指輪をはずし、また手袋を外した際には指輪を嵌めるという煩雑さがない。
さらに本発明においては、切れ込みを、指部分から手の甲及び手のひら部分にわたり設けられているようにすることにより、指輪の取り外しや、指輪をしたままの状態での手袋への指の出し入れに便利な手袋を提供することを目的とする。
【０００８】
【課題を解決するための手段】
上記課題を解決するため、請求項１に記載の発明においては、
指部分と、手の甲及び手のひら部分とを少なくとも備える手袋であって、
手の甲側の少なくともいずれかの指部分に、スリット状の指輪用の切れ込みが設けられ、
前記の切れ込みは、開閉可能にされた開閉部材を備えた手袋であることを特徴としている。
【０００９】
また、上記課題を解決するため、請求項２に記載の発明においては、
請求項１に記載の発明において、
前記の切れ込みは、指の長手方向に沿って設けられた手袋であることを特徴としている。
【００１０】
また、上記課題を解決するため、請求項３に記載の発明においては、
請求項１または２のいずれかに記載の発明において、
前記の開閉部材は、ファスナーである手袋であることを特徴としている。
【００１１】
また、上記課題を解決するため、請求項４に記載の発明においては、
請求項１または２のいずれかに記載の発明において、
前記の開閉部材は、ボタン、ホック、スナップ、チャック、面ファスナーのいずれかである手袋であることを特徴としている。
【００１２】
また、上記課題を解決するため、請求項５に記載の発明においては、
請求項１〜４のいずれかに記載の発明において、
前記の手袋は、皮革、人造皮革、毛皮、人造毛皮、布、毛編み、レース、ゴム、ビニール、不織布のいずれかの素材からなる手袋であることを特徴としている。
【００１３】
また、上記課題を解決するため、請求項６に記載の発明においては、
請求項１〜５のいずれかに記載の発明において、
前記の切れ込みの周縁部には、ほつれ・綻びを防ぐ補強部材が設けられた手袋であることを特徴としている。
【００１４】
また、上記課題を解決するため、請求項７に記載の発明においては、
請求項１〜６のいずれかに記載の発明において、
前記の切れ込みは、指部分から手の甲及び手のひら部分にわたり設けられた手袋であることを特徴としている。
【００１５】
また、上記課題を解決するため、請求項８に記載の発明においては、
請求項１〜７のいずれかに記載の発明において、
前記の切れ込みは、複数の指に設けられた手袋であることを特徴としている。
【００１６】
【発明の実施の形態】
以下、本発明の実施の形態について図面を参照して説明する。
本発明は、指部分と、手の甲及び手のひら部分とを少なくとも備える手袋であって、下記の構成を備えるものである。
手袋は見られる様々な形態のものを採用することができ、通常、左右一対の手袋からなる。
図１は、本発明の手袋の好ましい実施形態の一例を示す図である。図１において、符号１は手袋の指部分、符号２は手袋の手の甲及び手のひら部分を示している。また符号３は切れ込み、符号４は開閉部材を示している。
また、図２から図６の各図は、本発明の手袋の好ましい実施形態の別の一例を示す図である。以後示す他の各図においても符号は共通し、図５において符号５は補強部材を示している。
【００１７】
図１においては、通常多く見られる５本指の手袋の、手のひら側と手の甲側のそれぞれを示している。
一方、図２においては、親指と、それ以外の４本の指との２つの指部分に分かれている手袋の、手のひら側と手の甲側のそれぞれを示している。
いずれの場合においても、本発明において、手袋には様々な形態のものを採用することができ、全体あるいは細部の形状には特に限定されない。たとえば、各種の女性用・男性用手袋をはじめ、スポーツ用手袋やグローブ、炊事・作業用手袋、結婚式用などのフォーマルな手袋など、各種の手袋において本発明を採用することができる。
しかしながら、本発明の手袋は、その使用の対象を主に女性としており、女性がいずれかの指に指輪をしたままで着用することができることを特徴としている。
また、手袋は各図において示したように、手に着用したときに手首のあたりまで覆われるもののほかにも、さらに腕の部分にまではめて着用することができる長い形状のものや、たとえば図６に一例を示したように、手を差し入れる手首に当たる部分がフリル形状になっていたり、末広がりに広がっているものなど、各種の形状を採用することができ、特に限定されない。
【００１８】
また、手袋を構成する素材は、各種の素材を採用することができ、特に限定されない。代表的な素材としては、皮革、人造皮革、毛皮、人造毛皮、布、毛編み、レース、ゴム、ビニール、不織布のいずれかの素材からなる手袋があげられる。これらの素材はいずれも公知のものが使用でき、その加工方法も公知の手段が採用できる。また適度な弾性をもたせ、手袋をはめたりはずしたりすることが容易に行えるようにしておくこともできる。
【００１９】
本発明の手袋は、手の甲側の少なくともいずれかの指部分に、スリット状の指輪用の切れ込みが設けられている。
本発明の手袋は、指輪のリングに付けられた宝石・石・宝飾・その他の飾りものが位置する箇所に対応して、切れ込みが設けられたことにより、指輪を嵌めた状態で着用することができるようにされている。切れ込みは親指を除いて各指ごとにあってもよいし、中指、薬指などの特定の指に設けられていてもよい。
また、切れ込みは、一つの指に設けられていてもよく、あるいは複数の指に設けられていてもよい。各図においては、中指と薬指に切れ込みが設けられた一例を示しているが、あくまでも一例であって、様々なものとすることができる。
【００２０】
切れ込みは、好ましい形態の一例によれば、指の長手方向に沿って設けられる。すなわち、切れ込みの方向は図１、図２、図３に示されるように指の方向と同じものである。一方、図４に一例を示したように、手指の方向と異なる方向、たとえば手指の方向と直角方向に設けられていてもよい。
【００２１】
次に、手袋に設けられた切れ込みは、開閉可能にされた開閉部材を備えている。
開閉部材の代表的な部材は、図１、図２に示すようなファスナーである。この他にも開閉部材としては、ボタン、ホック、スナップ、チャック、面ファスナーなどを採用することができる。図３はボタンを開閉部材として使用した一例を示すものである。
しかしながら、ボタンやホック等を利用した場合には、通常開閉部材を取り付ける部分の布などを二重にする必要があり、これを避けるためにはファスナーが好ましい。
【００２２】
次に、前記のように手袋の素材には皮革、人造皮革、毛皮、人造毛皮、布、毛編み、レース、ゴム、ビニール、不織布などの様々なものを用いることができるが、切れ込みを設けた場合には、ほつれや綻びを防ぐ必要があり、毛編みや、綿、レースその他の布などにおいては殊にそうである。
そこで図６に一例を示すように、切れ込みの周縁部には、ほつれ・綻びを防ぐ補強部材が設けられることが好ましい。またファスナーの場合には、ファスナーと補強部材とがもともと一体の部材として構成されていることが多いため、これを用いればよい。
【００２３】
図７から図１０は、本発明の手袋の使用例を示す図である。
図７においては、切れ込みの開閉部材にファスナーを用いた場合において、指輪をしていない状態で手袋を嵌めた例を示している。
開閉部材は、目立たないような部材を使用することにより、指輪をしていない場合には切れ込みが目立たないようにすることができ、また指輪をしている場合にはこれを引き立たせ、見た目の邪魔をしないようにすることができる。
一方、逆に開閉部材、たとえばファスナーの開け閉めの際につまむ部分や、あるいはボタンなどに装飾性を持たせるようにしてもよい。
【００２４】
図８は、切れ込みの開閉部材にファスナーを用いた場合において、指輪をした状態で手袋を嵌める際の着用途中の例を示している。
図８にも示されるように、切れ込みは、好ましくは指部分から手の甲及び手のひら部分にわたり設けられているようにすれば、指輪の取り外しや、指輪をしたままの状態での手袋への指の出し入れに便利である。
次に図９に示すように、指輪をした指を手袋の指部分にまで挿入し、ファスナーを閉めるなどすれば着用が完了する。
図１０は、複数の指に指輪をした状態で本発明の手袋を着用した状態の例を示している。
【００２５】
【発明の効果】
以上詳細に説明したように、本発明によれば、指輪をした状態で着用することの可能であるとともに、ファッション性、機能性にも欠けるところのない手袋を提供することができる。
これにより、手袋をする場合にも指輪をはずすことになく、したがって指輪をバッグの中などの別の場所に保管する必要がなくなる。指輪をどこにしまったか忘れてしまう危険性や、指輪を紛失してしまう危険性もなく、不安に感じることもない。
さらに、せっかくの装飾である指輪を、手袋をする際にもはずさなくてよいために、人に見せたい、あるいは見てもらいたいときにもその気持ちを満たすことができる。
さらに、手袋をする際には指輪をはずし、また手袋を外した際には指輪を嵌めるという煩雑さがない。
さらに本発明によれば、切れ込みを、指部分から手の甲及び手のひら部分にわたり設けられているようにすることにより、指輪の取り外しや、指輪をしたままの状態での手袋への指の出し入れに便利な手袋を提供するができる。
【図面の簡単な説明】
【図１】本発明の手袋の好ましい実施形態の一例を示す図である。
【図２】本発明の手袋の好ましい実施形態の一例を示す図である。
【図３】本発明の手袋の好ましい実施形態の一例を示す図である。
【図４】本発明の手袋の好ましい実施形態の一例を示す図である。
【図５】本発明の手袋の好ましい実施形態の一例を示す図である。
【図６】本発明の手袋の好ましい実施形態の一例を示す図である。
【図７】本発明の手袋の使用例を示す図である。
【図８】本発明の手袋の使用例を示す図である。
【図９】本発明の手袋の使用例を示す図である。
【図１０】本発明の手袋の使用例を示す図である。
【符号の説明】
１  指部分
２  手の甲及び手のひら部分
３  切れ込み
４  開閉部材
５  補強部材
【図１】
2004250829.tif 000003
【図２】
2004250829.tif 000004
【図３】
2004250829.tif 000005
【図４】
2004250829.tif 000006
【図５】
2004250829.tif 000007
【図６】
2004250829.tif 000008
【図７】
2004250829.tif 000009
【図８】
2004250829.tif 000010
【図９】
2004250829.tif 000011
【図１０】
2004250829.tif 000012